(57)【要約】【課題】通常運転モードと静音運転モードとをその時々の事情に応じ自由に切り換えられるようにする。【解決手段】通常運転モードと通常運転モード時よりも静音化するように運転する静音運転モードとを備え、通常運転モードおよび静音運転モードの一方の運転モードを実行中に切り換えの入力があると、他方の運転モードに切り換えて実行することにより、上記の目的を達成する。【選択図】図７
2008194266.tif 000002
【特許請求の範囲】
【請求項１】
通常運転モードと通常運転モード時よりも静音化するように運転する静音運転モードとを備え、通常運転モードおよび静音運転モードの一方の運転モードを実行中に切り換えの入力があると、他方の運転モードに切り換えて実行することを特徴とする食器洗浄機。
【請求項２】
前記切り換えの入力は、１つの操作部によって行う請求項１に記載の食器洗浄機。
【請求項３】
前記切り換えの入力は、洗浄、すすぎ、乾燥といった実行する行程のどの時点でも受け付ける請求項１または２に記載の食器洗浄機。
【請求項４】
静音運転モードは、複数有している請求項１〜３のいずれか１項に記載の食器洗浄機。
【請求項５】
選択実行する選択コースは複数あり、選択コースによっては前記切り換えの入力は受け付けない請求項１〜４のいずれか１項に記載の食器洗浄機。
【請求項６】
ポンプ類、または、ポンプ類およびファンを備え、静音運転モードは、前記ポンプ類、または、前記ポンプ類およびファンの回転数を通常運転モードよりも低減する請求項１〜５のいずれか１項に記載の食器洗浄機。
【発明の詳細な説明】
【技術分野】
【０００１】
本発明は、食器類の洗浄を行う食器洗浄機に関し、さらに詳しくは必要な行程を通常運転モードと通常モード時よりも静音化するように運転する静音運転モードとを備えた食器洗浄機に関するものである。
【背景技術】
【０００２】
従来、食器洗浄機では洗浄行程やすすぎ行程での洗浄騒音が、不快であったり、テレビの視聴時や家人同士や知人との会話上、電話での会話上、就寝時などに問題とされることがあることにつき、洗浄プログラムに洗浄水の噴射圧力を低圧にして食器等を洗浄する低圧洗浄プログラムを備え、この低圧洗浄プログラムが選択実行されることにより洗浄騒音を低減できるようにした食器洗浄機も既に提案されている（例えば、特許文献１参照）。また、周囲環境が静かなときに洗浄ポンプの出力を下げて洗浄時間を長くし、洗浄騒音を低くする運転方法が先に提案されている旨すでに記載されている（例えば、特許文献１参照）。
【特許文献１】特開２０００−３１６７７９号公報
【特許文献２】特開平６−７２８２号公報
【発明の開示】
【発明が解決しようとする課題】
【０００３】
しかし、特許文献１に記載された食器洗浄機のように、通常圧洗浄プログラム時よりも低圧であるがすすぎ行程での噴射圧力よりも高くすることで洗浄能力の低下を補うにしても、洗浄工程時の噴射圧力を通常圧洗浄プログラム時よりも低くする分だけ、洗浄時間を通常圧洗浄プログラム時より長くしないと必要な洗浄効果が達成できないという問題は否めない。
【０００４】
にもかかわらず、通常運転時の洗浄騒音が問題となって、あるいは想定されて、低圧洗浄プログラムが一旦選択され実行されると、それを遂行しきるか停止するしかないのでは不便である。
【０００５】
例えば、低圧洗浄プログラムを遂行しきるのは、不快の解消にはよいし、テレビの定時番組を視聴したり、人を招いての会話時や纏まった話をする場合、特許文献２に記載の静かな環境となる就寝する場合などでは、食器洗浄の開始タイミングを計れるし、低圧洗浄プログラムに必要な時間に近いかそれを超えることを想定して、低圧洗浄プログラムを有利に実行することができる。これに対し、開始タイミングや所要時間が不特定な家人同士の会話、特に電話での会話に対応して低圧洗浄プログラムを選択し実行するのは困難である。従って、通常圧洗浄プログラムでの洗浄騒音が気になるユーザはそのような会話があることを想定して常に低圧洗浄プログラムを選択し実行することになる。これでは、低圧洗浄プログラムの実行中に家人同士の会話や電話での会話がなければ低圧洗浄プログラムでの洗浄時間の延長は無駄になる。また、通常圧洗浄プログラムでの洗浄騒音が問題でなくなった時点で低圧洗浄プログラムを停止し、通常圧洗浄プログラムに変更するにしてもプログラム初期からの開始となるので、先の低圧洗浄プログラムを生かせない問題がある。
【０００６】
本発明の目的は、通常運転モードと静音運転モードとをその時々の事情に応じ自由に切り換えられる食器洗浄機を提供することにある。
【課題を解決するための手段】
【０００７】
上記のような目的を達成するために、本発明の食器洗浄機は、通常運転モードと通常運転モード時よりも静音化するように運転する静音運転モードとを備え、通常運転モードおよび静音運転モードの一方の運転モードを実行中に切り換えの入力があると、他方の運転モードに切り換えて実行することを特徴としている。
【０００８】
このような特徴によれば、通常運転モードおよび静音運転モードの一方の実行中に切り換えの入力があれば通常運転モードおよび静音運転モードの他方に切り換えて実行することができ、通常運転モードでの騒音が気になる環境のときだけ静音運転モードをタイムリーに実行して、通常運転モード時よりも静音化した運転をすることができ、無駄な洗浄時間の延長を回避できる。
【０００９】
本発明の食器洗浄機は、また、前記切り換えの入力は、１つの操作部によって行うことを特徴とすることができる。
【００１０】
このような特徴により、１つの操作部を共用してこれを操作することにより、現在実行している通常運転モードおよび静音運転モードの一方を他方にいつでも切り換えられる。
【００１１】
本発明の食器洗浄機は、また、前記切り換えの入力は、洗浄、すすぎ、乾燥といった実行する行程のどの時点でも受け付けることを特徴とすることができる。
【００１２】
このような特徴により、実行する全行程で生じる洗浄時騒音、すすぎ時騒音、乾燥時騒音などにつき、静音化できる静音運転モードにいつでも切り換え、また通常運転モードにいつでも戻せる。
【００１３】
本発明の食器洗浄機は、また、静音運転モードは、複数有していることを特徴とすることができる。
【００１４】
このような特徴により、静音化度とそれに対応した時間延長との関係から、ユーザの感受性や実情から、どちらかを優先した静音運転モード、あるいはその中間の静音運転モードなどを実情に合わせて選択することができる。
【００１５】
本発明の食器洗浄機は、また、選択実行する選択コースは複数あり、選択コースによっては前記切り換えの入力は受け付けないことを特徴とすることができる。
【００１６】
このような特徴により、通常運転モードよりも高い洗浄能力を発揮する高温パワフル選択コースなど、騒音の高まりが予想されるのをユーザが敢えて選択した選択コースの特徴が、静音運転モードに切り換わって生かされず、かえってユーザの不満となるようなことを回避することができる。
【００１７】
本発明の食器洗浄機は、また、ポンプ類、または、ポンプ類およびファンを備え、静音運転モードは、前記ポンプ類、または、前記ポンプ類およびファンの回転数を通常運転モードよりも低減することを特徴とすることができる。
【００１８】
このような特徴により、ポンプ類の回転数の低減にて洗浄水を供給する洗浄行程やすすぎ行程での洗浄水の噴射音や衝突音、循環音、排水音、ポンプの回転音を静音化でき、ファンの回転数の低減にて乾燥行程での風切り音などを静音化できる。
【００１９】
本発明の食器洗浄機は、また、複数のノズルと、この複数のノズルに洗浄やすすぎのための洗浄水を供給するポンプと、このポンプの駆動、駆動停止に伴う洗浄水圧の有無によって、前記複数のノズルへ分水する複数の分水開口に所定の回転位置にて当接し特定の分水開口以外を塞いで分水機能する分水位置と、前記分水開口から離れて各分水開口を開放する分水機能しない非分水位置との間で移動する弁体と、この弁体の分水位置と非分水位置との間の往復動作に伴い弁体が分水開口を閉じる回転位置を変更していくカム機構とを有した分水装置を備えたことを特徴とすることができる。
【００２０】
このような特徴により、ポンプが駆動される都度弁体が分水開口に当接して分水状態の切り換えが行われるが、ポンプの回転数が低減されることにより、当接の勢いを和らげて静音化することができる。
【発明の効果】
【００２１】
本発明の食器洗浄機によれば、通常運転モードまたは静音運転モードがいつでも実行中の一方から他方へ、また、切り換え後の他方から一方へ切り換えられ、例えば、運転騒音が問題でない間は通常運転モードを優先して高い洗浄効率を生かしながら、運転騒音が問題となるときに静音運転モードに切り換えて静音化を確保し、静音化が不要になったときは通常運転モードに戻すことで高い洗浄効率が再度生かせるようになる。つまり、実情に合わせた過不足ない静音化運転が自由にできる。
【発明を実施するための最良の形態】
【００２２】
以下、本発明の実施の形態に係る食器洗浄機について図１〜図７を参照しながら説明し、本発明の理解に供する。なお、以下の説明は本発明の具体例であって特許請求の範囲の記載内容を限定するものではない。
【００２３】
本実施の形態の食器洗浄機は、図１（ａ）（ｂ）に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。洗浄槽２は給水弁３から洗浄水を供給されて底部２ａに溜める。洗浄槽２の底部２ａに溜めている洗浄水は洗浄ポンプ４によって、洗浄槽２内に設けられている例えば図１（ａ）（ｂ）、図２に示すような複数の洗浄ノズル４１〜４４に供給し、洗浄ノズル４１〜４４から洗浄槽２内の上下２段の食器籠４８、４９に収容している食器類に向けて噴出する。
【００２４】
本実施の形態において、食器洗浄機の本体１は、給水弁３、洗浄ポンプ４、ヒータ５、排水ポンプ６、送風ファン７などを内部機能などとしての図１に示す負荷制御手段１１により駆動し、洗い、すすぎおよび乾燥の各行程を逐次制御する図１、図２に示すような制御装置１２を内蔵している。なお、本発明に係る食器洗浄機において、乾燥行程は必須ではない。本発明の食器洗浄機には、洗浄プログラムとして、通常運転モードと静音運転モードとが備えられ、通常運転モードの中に、様々な洗浄コース（例えば、標準コース、低温ソフトコース、少量コース、スピーディコースなど）が選択可能に備えられている。これらの洗浄コースのプログラムは、制御装置１２の記憶部２０の中に制御プログラムとして記憶されており、操作者による操作パネル１３からの選択指示に従い、制御プログラムにより、負荷制御手段１１を介して給水弁３、洗浄ポンプ４、ヒータ５、排水ポンプ６、送風ファン７などを駆動制御する。通常運転モードと静音運転モードとはいつでも選択可能であり、選択された時点で、通常運転モードから静音運転モードに、あるいは、静音運転モードから通常運転モードに切り換えられる。
【００２５】
底部の左右２つの洗浄ノズル４１、４２と、中段の洗浄ノズル４４が洗浄水をノズル孔から噴出するときの反力によって回転するようにそれぞれ図２に示す軸４５、４６、４７によって支持されている。背部の洗浄ノズル４３は固定されている。洗浄ポンプ４から洗浄ノズル４１〜４４への給水は、洗浄ポンプ４からの給水路５６から例えば図１（ａ）（ｂ）に示すような分水装置５１を介し接続した分水路５２、５３、５４を経て洗浄ノズル４１、４２、４３に供給し、洗浄ノズル４４へは洗浄ノズル４３から延びた分水パイプ５５を介して洗浄ノズル４３から供給する。そこで、洗浄ノズル４４は分水パイプ５５を利用して前記の軸４７による支持を行っている。
【００２６】
分水装置５１は、図３、図４に示すように、洗浄ポンプ４の駆動、駆動停止に伴う洗浄水圧の有無に応動する弁体５０の切り換え機能によって、前記複数の洗浄ノズル４１、洗浄ノズル４２、洗浄ノズル４３および４４へ所定の順序で分水する。このために、分水装置５１は、例えば、洗浄ノズル４１への分水路５２に通じる分水開口５７ａ、洗浄ノズル４２への分水路５３に通じる分水開口５７ｂ、洗浄ノズル４３への分水路５４に通じる分水開口５７ｃ、および洗浄ノズル４１への分水路５２と洗浄ノズル４２への分水路５３との双方に通じる分水開口５７ｄを軸回りに配した分水口５７を給水路５６の上流側に向けて配し、具体的には弁室５８内に下向きに開口させて、この弁室５８内の前記弁体５０と対向させている。弁体５０は弁室５８内で洗浄ポンプ４の駆動、駆動停止による洗浄水圧の有無に応動して、複数の分水開口５７ａ〜５７ｄを持った分水口５７にガイド軸６０まわりの所定の回転位置にて当接し特定の１つ以外を塞いで特定の１つを通じて分水する分水位置と、分水口５７から離れて各分水開口５７ａ〜５７ｄ全てを開放する分水しない非分水位置との間で移動するように設けられ、この弁体５０の分水位置と非分水位置との間の往復動作に伴い、弁体５０が分水開口を閉じる回転位置を変更していくように上部カム対６１と下部カム対６２とが交互に働くようになっている。
【００２７】
具体的には、下部カム対６２は互いに噛み合う鋸歯状カム６２ａ、６２ｂ同士であり、双方は弁体５０を１／４回転位置ずつに安定させる案内条件を持っている。一方、上部カム対６１は山形カム６１ａと分水口５７の各分水開口５７ａ〜５７ｄを仕切る仕切り壁を共用した放射状のリブカム６１ｂとであり、弁体５０が下部カム対６２によって安定していた回転位置から洗浄水圧によって押し上げられたとき、山形カム６１ａの斜面がリブカム６１ｂに当接して弁体５０を１／４未満回転させて安定させる案内条件を持っている。これにより、弁体５０は分水位置に上動する都度上動前の安定回転位置から１／４回転未満回転させられ、弁体５０は一端分水位置に上動した後落下する都度下部カム対６２の噛み合わせ位置が次の１／４回転位置へ安定させるように変更される。この結果、複数の分水開口５７ａ〜５７ｄのうち１つずつが順次に開放され、洗浄ノズル４１→洗浄ノズル４１および４２の両方→洗浄ノズル４２→洗浄ノズル４３および４４両方→洗浄ノズル４１の順に洗浄水が供給される。
【００２８】
このような分水によって省洗浄水量で十分な勢いのある洗浄水の噴出を満足して、しかも、噴出域を順次に変更して洗浄槽２内に収納した全ての食器類を十分に洗浄できる。また、十分な洗浄のために所定の噴射圧を設定する。
【００２９】
洗浄槽２の底部２ａには洗浄水位検知手段１０があり洗浄槽２内の洗浄水位を検知し、電気信号として出力する。一方、洗浄槽２の底部２ａにはヒータ５が配設され、洗浄水を加熱し洗浄水による洗浄効果やすすぎ効果を高める。これに併せ、洗浄槽２の底部２ａに外側より密着するように取り付けたサーミスタなどの温度検知手段９を設けて、洗浄水の洗浄水温や洗浄槽２の温度を熱伝導により検知し、それらの温度制御に供する。また、洗浄槽２の底部２ａ内の洗浄水を排出する排水ポンプ６や、洗浄槽２内の蒸気を排気口から本体１外へ送り出し洗浄後の食器を乾燥させる送風ファン７も洗浄槽２のまわりに設けてある。本体１はまた、給水弁３、洗浄ポンプ４、ヒータ５、排水ポンプ６、送風ファン７などを負荷制御手段１１を介して駆動し、洗い、すすぎ、乾燥の各工程を逐次制御する制御装置１２を内蔵している。なお、乾燥行程は必須としない。
【００３０】
なお、排水は洗浄終了後の他、洗浄行程中やすすぎ行程中でも洗浄水やすすぎ洗浄水の入れ換えのために新たな給水の前に行うが、洗浄行程では１、２回とするのに対し、すすぎ行程では３回以上と多くしてすすぎ効果を高める。
【００３１】
ところで、既述したように運転騒音が問題になることがある。運転騒音は主として洗浄行程やすすぎ行程での洗浄水の噴射音や衝突音、循環音、排水音、洗浄ポンプ４や排水ポンプ６の回転音である。しかし、運転騒音としては、それ以外にも乾燥行程での送風ファン７の風切り音、分水装置５１の弁体５０が分水口５７に当接するときの衝突音など種々あり、人や環境によっては問題になる。
【００３２】
そこで、従来、油汚れや食後数時間経って洗う場合に適合させた高温パワフルコース、普段の汚れの食器を食後すぐに洗うのに適合させた標準コース、熱に弱い樹脂製食器類などを洗うのに適合させた低音ソフトコース、食器点数が少ない場合に適合させた少量コース、予め漬け置き水洗いしたときに適合させたスピーディコース、後でまとめ洗いしたいときに適合させた予洗コース、手洗いした食器類の乾燥や食器のあたために適合させた乾燥のみコースといった、特に静音化を目指したものでない一般の選択コースに加え、静音化を図る静音運転モードを含むプログラムにてコースの全行程を運転しきるナイトコースなどとして設けてきたが、既述したように選択されたコースの全工程のプログラムを実行しきるのでは、環境変化にタイムリーに対応できない不便がある。
【００３３】
これに対応するのに、本実施の形態では、従来からの所定の行程設定時間Ｘで洗浄やすすぎの行程を終了することができる通常運転モードと、通常運転モード時よりも静音化するように運転する静音運転モードとを備え、通常運転モードおよび静音運転モードの一方の運転モードを実行中に切り換えの入力があると、他方の運転モードに切り換えて実行するようにする。このように、通常運転モードおよび静音運転モードの一方の実行中に切り換えの入力があれば通常運転モードおよび静音運転モードの他方に切り換えて実行することができ、通常運転モードでの騒音が気になる環境のときだけ静音運転モードを実行して、通常運転モード時よりも静音化した運転をすることができる。従って、通常運転モードまたは静音運転モードがいつでも実行中の一方から他方へ、また、切り換え後の他方から一方へ切り換えられ、例えば、運転騒音が問題でない間は通常運転モードを優先して高い洗浄効率を生かしながら、運転騒音が問題となるときに静音運転モードに切り換えて静音化を確保し、静音化が不要になったときは通常運転モードに戻すことで高い洗浄効率が再度生かせるようになる。つまり、実情に合わせた過不足ない静音化運転が自由に、従って静音化運転が無駄な洗浄時間の延長を回避するようにタイムリーに実行できる。
【００３４】
このような静音化は洗浄ポンプ４、排水ポンプ６、送風ファン７の回転数を低減することで行うと、上記した運転騒音の音源のほぼ全部につき静音化が図れるので好適である。しかし、既述の分水装置５１の弁体５０が分水口５７に当接する音は一瞬であるが高く、特に静音運転モードの実行時には通常運転モード実行時よりも聞き取られやすくなり、問題とされやすい。このため、分水装置５１を働かせるために洗浄ポンプ４を一旦停止した後の再駆動を弁体５０が分水口５７に当接して分水位置５１に落ち着くまでの少しの時間の間低速で駆動するスロースタート運転を採用することで、分水装置５１の静音化が図れる。また、洗浄工程や乾燥行程途中での前記排水、再給水時の洗浄ポンプ４の停止、再駆動に際してもスロースタートするのが好適である。
【００３５】
このような静音運転モードは、既述した選択コースのうちの、例えば、洗浄ポンプ４、排水ポンプ６、送風ファン７が通常運転される標準コース、低音ソフトコース、少量コースなどに適用して有効である。しかし、運転騒音が問題とならないコースは勿論、高温パワフルコースなど選択コースによっては前記切り換えの入力は受け付けない制御を行うことで、通常運転モードよりも高い洗浄能力を発揮する高温パワフルコースなど、騒音の高まりが予想されるのをユーザが敢えて選択した選択コースの特徴が、静音運転モードに切り換わって生かされず、かえってユーザの不満となるようなことを回避することができる。
【００３６】
通常運転モードと静音運転モードとの切り換えの入力は、例えば、図５に示すような電源入スイッチ７４、電源切スイッチ７３、複数の選択コースを選択するコース選択スイッチ７５、乾燥時間などを設定する乾燥設定スイッチ７６、スタート・一時停止スイッチ７７、予約の時間設定を行う予約スイッチ７８、およびそれらに関連する表示部などが設けられる操作パネル１３に設けた静音切り換えスイッチ７９などの１つの操作部材により行うようにする。これにより、１つの静音切り換えスイッチ７９を共用してこれを操作することにより、現在実行している通常運転モードおよび静音運転モードの一方を他方にいつでも切り換えられる。
【００３７】
このような１つの静音切り換えスイッチ７９による通常運転モードと静音運転モードとのリアルタイムでの切り換え制御は、例えば、制御装置１２による制御動作で行える。具体的には、制御装置１２は、選択されたコースでの運転中に静音切り換えスイッチ７９からのオン信号が入力する都度、まず、現在運転モードが通常運転モードか静音運転モードなのかを判定する。この結果、通常運転モードであるとき制御装置１２は静音運転モードへの切り換え信号であると判定し、通常運転モードでないとき、つまり静音運転モードであるときは通常運転モードへの切り換え信号であると判定し、判定結果に応じた運転モードに切り換え実行するようにする。しかも、制御装置１２は、静音運転モードへの切り換えと判定した場合、さらに、現在選択されているコースが標準コース、低音ソフトコース、スピーディコースのいずれかどうか、つまり、静音運転モードへの切り換えを受け付ける選択コースかを判定し、そのいずれかの場合だけ静音運転モードに切り換え実行し、そのいずれでもなければ、静音運転モードに切り換えず現在実行している通常運転モードを継続するようにして、静音運転モードがそれに相応しくない選択コースにて実行される不都合を回避することができる。また、制御装置１２は、前記切り換えの入力は、洗浄、すすぎ、乾燥といった実行する行程のどの時点でも受け付けることができる。これにより、実行する全行程で生じる洗浄時騒音、すすぎ時騒音、乾燥時騒音などにつき、静音化できる静音運転モードにいつでも切り換え、また通常運転モードにいつでも戻せる。
【００３８】
静音運転モードが前記洗浄ポンプ４、排水ポンプ６であるポンプ類、または、これらポンプ類および前記送風ファン７の回転数を通常運転モードよりも低減するものであるとき、ポンプ類の回転数の低減にて洗浄水を供給する洗浄行程やすすぎ行程での洗浄水の噴射音や衝突音、循環音、排水音、ポンプの回転音を静音化でき、送風ファン７の回転数の低減にては乾燥行程での風切り音などを静音化できる。
【００３９】
ここで、洗浄ポンプ４で他のポンプ類や送風ファン７を代表して、図７を参照しながら通常運転モードと静音運転モードとの制御例を比較すると、通常運転モードでは図７（ａ）に示すように、洗浄ポンプ４を４２００ｒｐｍの通常運転条件で駆動し通常運転モードでの行程設定時間Ｘにて洗浄行程を実行する。これに対して、静音運転モードでは図７（ｂ）に１つの例を示すように洗浄ポンプ４を３６００ｒｐｍの静音運転条件で駆動し、洗浄やすすぎ効果が低減する分だけ、通常運転モードでの行程設定時間Ｘよりも例えば３倍となる３Ｘの行程設定時間で洗浄行程やすすぎ行程を実行し終了するように設定する。
【００４０】
しかし、選択した１つのコースは、環境変化に対応したユーザによる静音切り換えスイッチ７９のリアルタイムな切り換えに対応して、通常運転モードと静音運転モードとが実行されるので、双方の運転時間Ａ、Ｂ双方を合わせて運転を終了する必要がある。このため、通常運転モード実行時は図７（ａ）に示すようにＡ時間カウンタにて通常運転時間Ａを累積カウントするのに対し、静音運転モード実行時は図７（ｂ）に示すようにＢ時間カウンタによって静音運転時間Ｂを累積カウントするようにし、運転はいずれの運転モード実行中でもＡ＋Ｂ／３＝Ｘを満足した時点で終了すればよいことになる。
【００４１】
なお、選択したコースでの静音運転モードの実行は途中通常運転モードに切り換えなければ、ナイトコースに等価ないしは近いものとなるような場合、ナイトコースを選択コースから除外してもよくなる。
【００４２】
このような静音運転モードは、図７（ｂ）に示す運転モードに対し、図７（ｃ）に示すような別の１つまたはそれ以上の静音運転モードを合わせ複数有したものとすることができる。例えば、図７（ｃ）に示す例では、静音運転モードのための洗浄モータ４の駆動回転数を３８００ｒｐｍに設定して運転することにより、図７（ａ）の通常運転モードの場合に比して静音化できる上、図７（ｂ）に示す静音運転モードの場合よりも高い回転数３８００ｒｐｍでの運転であることにより、洗浄効果やすすぎ効果が高まる。従って、図７（ｂ）の場合よりも行程設定時間を例えば２Ｘと短くでき、本例での運転終了時間はＡ＋Ｂ／３＋Ｃ／２＝Ｘとなる。このような複数の静音運転モードと通常運転モードとの切り換えも１つの操作部材である静音切り換えスイッチ７９の操作の都度、図６に示す場合のようにロータリ方式に順次切り換えられる。
【００４３】
以上の通常運転モードでの所要運転時間Ｘに対する静音化度合の違いによる倍率の違いは、説明を簡単にするための説明例であって、これに限られないのは勿論であり、静音運転モードから通常運転モードへの切り換え時の運転時間の変化は前記倍率の逆数となる。
【産業上の利用可能性】
【００４４】
本発明は食器洗浄機における通常運転モードと静音運転モードとを選択実行する技術において、その切り換えを環境条件の変化に応じリアルタイムに切り換えられる。
【図面の簡単な説明】
【００４５】
【図１】本発明に係る食器洗浄機の内部構造を説明するための、（ａ）は正面断面図であり、（ｂ）は側面断面図である。
【図２】本発明に係る食器洗浄機の概略構造を説明するための斜視図である。
【図３】本発明に係る食器洗浄機に用いられる分水装置の内部構造を説明するための側面断面図である。
【図４】本発明に係る食器洗浄機に用いられる分水装置の分岐構造を説明するための平面断面図である。
【図５】本発明に係る食器洗浄機における操作パネルの正面図である。
【図６】本発明に係る食器洗浄機の運転モード切り換え制御例を示すフローチャートである。
【図７】本発明に係る食器洗浄機の運転モード別の駆動回転数と時間、運転終了時間切り換え制御例を示すフローチャートである。
【符号の説明】
【００４６】
１    本体
２    洗浄槽
３    給水弁
４    洗浄ポンプ
６    排水ポンプ
７    送風ファン
１１    負荷制御手段
１２    制御装置
１３    操作パネル
４１〜４４  洗浄ノズル
５０    弁体
５１    分水装置
７５    コース選択スイッチ
７９    静音切り換えスイッチ
【図１】
2008194266.tif 000003
【図２】
2008194266.tif 000004
【図３】
2008194266.tif 000005
【図４】
2008194266.tif 000006
【図５】
2008194266.tif 000007
【図６】
2008194266.tif 000008
【図７】
2008194266.tif 000009